(57)【特許請求の範囲】
【請求項１】
透明塗料を塗布する連続用紙を移送する用紙移送手段と、この用紙移送手段によって移送される連続用紙の移送経路に対応してノズルを配置し、ポンプから供給される透明塗料を前記ノズルで連続用紙面に塗布する塗料塗布手段と、この塗料塗布手段に続いて連続用紙面に塗布した透明塗料を密着させるためにローラで印圧を付与する印圧付与手段を備えてなり、前記印圧付与手段は、上下一対のローラを連続用紙移送方向に間隔をおいて複数対配置するとともに、前記複数対のローラは周長が異なることを特徴とする塗料塗布装置。
【請求項２】
複数対のローラは、上流側ローラの周長が、下流側ローラの周長よりも長いことを特徴とする請求項１記載の塗料塗布装置。
【請求項３】
複数対のローラは、ゴムのような弾性を有する材質で形成されていることを特徴とする請求項２記載の塗料塗布装置。
【発明の詳細な説明】
【０００１】
【発明の属する技術分野】
本発明は、連続用紙にシリコンやニス等の透明塗料を塗布する塗料塗布装置に関し、特に、ノズルにより透明塗料を塗布する塗料塗布装置に関する。
【０００２】
【従来の技術】
従来、連続用紙にシリコンやニス等の透明塗料を塗布するには、通常、印刷機のように塗布ローラに対して複数のローラを介して透明塗料を供給し、前記塗布ローラによって連続用紙面に透明塗料を塗布している。また、塗布量が多い場合や少ない場合の調整には、インキ壺からのインキ供給量を調整して定量を維持している。
【０００３】
【発明が解決しようとする課題】
従来の印刷機のように、塗布ローラをはじめとする複数のローラを用いた塗料塗布装置では、各ローラの回転速度や温度、湿度等の環境条件の影響を受けるので、塗布ローラに対する透明塗料の供給量の制御、すなわち透明塗料の塗布量の制御が複雑で困難であるという不都合がある。
【０００４】
一方、ノズルを用いた塗料塗布装置では、塗料をノズルに直接供給するので、塗布量の制御は比較的容易であり、塗布量が多い場合には問題はないが、連続用紙にシリコンやニス等の透明塗料を塗布する塗布装置に適用した場合には、塗布ムラがでたり、密着性の点で印刷機より劣るという不都合があった。例えば、磁気ストライプの保護のために、透明塗料を塗布する場合には、塗布ムラや密着性に難点があると、読み取り精度に悪影響を及ぼす虞がある。
【０００５】
本発明は、このような不都合を解消し、ノズルを用いて塗布量の制御を容易にするとともに、塗布ムラをなくして安定した塗布作業を実現し、透明塗料の密着性も向上させた塗料塗布装置を提供することを目的とする。
【０００６】
【課題を解決するための手段】
この目的を達成するために、本発明の請求項１に記載した塗料塗布装置は、透明塗料を塗布する連続用紙を移送する用紙移送手段と、この用紙移送手段によって移送される連続用紙の移送経路に対応してノズルを配置し、ポンプから供給される透明塗料を前記ノズルで連続用紙面に塗布する塗料塗布手段と、この塗料塗布手段に続いて連続用紙面に塗布した透明塗料を密着させるためにローラで印圧を付与する印圧付与手段を備えてなり、前記印圧付与手段は、上下一対のローラを連続用紙移送方向に間隔をおいて複数対配置するとともに、前記複数対のローラは周長が異なることを特徴とする。
【０００７】
また、上記目的を達成するために、本発明の請求項２に記載した塗料塗布装置は、請求項１に記載した複数対のローラは、上流側ローラの周長が、下流側ローラの周長よりも長いことを特徴とする。
【０００８】
さらに、上記目的を達成するために、本発明の請求項３に記載した塗料塗布装置は、請求項２に記載した複数対のローラは、ゴムのような弾性を有する材質で形成されていることを特徴とする。
【０００９】
【発明の実施の形態】
以下、本発明の好適な実施形態を添付図面に基づいて説明する。ここにおいて、図１は塗料塗布装置を示す概略的な側面図、図２は透明塗料の供給系統を示す概略的な説明図、図３は塗布対象である連続用紙の一部を示す概略的な平面図である。
【００１０】
まず、透明塗料、例えばニスを塗布する連続用紙を図３に基づいて説明する。連続用紙１は、その一面側に塗工物を帯状に等間隔をおいて平行に塗布してなる塗工層２を設けている。これら塗工層２は、連続用紙１の長手方向に延びており、これら塗工層２を保護するために、各塗工層２の部分を覆うように帯状にニスを塗布するものである。
【００１１】
続いて、塗料塗布装置について説明する。図１に示すように、塗料塗布装置１１は、連続用紙１を移送する用紙移送手段たる移送ローラ１２，１３を備えている。そして、これら移送ローラ１２，１３によって移送される連続用紙１の移送経路に対応してこれを横切るようにノズルブロック１４を配置している。このノズルブロック１４には、連続用紙１の各塗工層２にそれぞれ対応する位置に、５本のノズル孔１５ａ（但し一つのみ図示）を設けている。各ノズル孔１５ａには吐出口１５ｂを設け、このノズル孔１５ａと吐出口１５ｂでノズル１５を構成している。
【００１２】
これら各ノズル孔１５ａは、それぞれ対応するようノズルブロック１４に設けた５つの塗料供給口１６（但し一つのみ図示）の一つと連通し、各塗料供給口１６を介して各ノズル１５には、図２に示すように、塗料タンク１７からポンプ１８によってニスが供給される。また、各ノズル１５は、連続用紙１をガイドする遊転ローラ１９と対向している。移送されてきた連続用紙１に対してノズル１５の吐出口１５ｂからニスを吐出し、連続用紙１の塗工層２部分にニスを塗布する。これらノズル１５，ポンプ１８、遊転ローラ１９によって、塗料塗布手段を構成する。
【００１３】
この塗料塗布手段に続いて、連続用紙１の塗工層２部分に塗布したニスを密着させるために、上下二対のローラ２０ａ，２０ｂ，２１ａ，２１ｂを連続用紙１の移送方向に間隔をおいて配置している。これらローラ２０ａ，２０ｂ，２１ａ，２１ｂで印圧付与手段を構成する。前記各ローラ２０ａ，２０ｂの周長の方が前記各ローラ２１ａ，２１ｂの周長よりも長く形成している。
【００１４】
そして、これらローラ２０ａ，２０ｂ，２１ａ，２１ｂは、各対のローラ２０ａ，２０ｂ，２１ａ，２１ｂの上下間隔を紙厚やニスの塗布量に応じて調節可能である。また、各ローラ２０ａ，２０ｂ，２１ａ，２１ｂは、ゴムのような弾性を有する材質で形成すると好適である。
【００１５】
続いて、上述した塗料塗布装置１１によるニスの塗布動作を説明する。適宜な塗工物塗布装置（図示せず）により塗工層２が形成された連続用紙１は、移送ローラ１２，１３によって、図１上左方向に移送される。この連続用紙１がノズルブロック１４に至ると、塗料タンク１７内のニスがポンプ１８によって供給され、ノズル１５の各吐出口１５ｂからニスが吐出する。これによって、連続用紙１の各塗工層２部分に対して、所定量のニスが連続的に塗布されていく。ニスの吐出量は、ポンプ１８の動作を制御して設定する。
【００１６】
さらに連続用紙１が移送されると、上下二対のローラ２０ａ，２０ｂ，２１ａ，２１ｂにより２回にわたって印圧が付与され、ニスは塗布部分に確実に密着する。この際、上下一対のローラ２０ａ，２０ｂと上下一対のローラ２１ａ，２１ｂとは周長が異なるので、ポンプ１８の動作が不安定になって供給ムラが生じ、前段の上下一対のローラ２０ａ，２０ｂの周面のある部分に対して必要以上のニスが存在して、塗布ムラが生じても、後段の上下一対のローラ２０ａ，２０ｂは、回転周期が異なるため、塗布ムラの影響を受けることなく、安定した塗布及び定着動作を続行することができる。
【００１７】
このようにして、ニスが連続用紙１の各塗工層２部分に連続的に塗布されて、密着した連続用紙１は、さらに移送されて適宜な巻き取り装置（図示せず）に巻き取られていくものである。
【００１８】
なお、本発明は上述した実施形態に限定されず、ノズル１５の構成はノズルブロック１４に設けるものに限らない。また、印圧付与手段を構成するローラ２０ａ，２０ｂ，２１ａ，２１ｂは、互いの周長が相違する二対のローラに限らず、三対以上のローラで構成することも可能であり、さらには、周長が同一の複数対の上下ローラで構成したり、一対の上下ローラのみで構成してもよい。またさらに、透明塗料がニスに限定されないことはもちろんである。
【００１９】
【発明の効果】
このようにして、本願の請求項１の発明である塗料塗布装置によれば、ノズルによる塗布を行うとともに、印圧付与手段として上下一対のローラを用紙移送方向に間隔をおいて複数対設けることにより印圧を複数回付与して密着を図るので、塗布量の制御を容易にして、塗布ムラを減少させ、安定した塗布動作を行うとともに、塗料の密着性も向上し、さらに、ポンプの供給ムラが生じても、印圧付与手段たる複数対のローラの周長を異ならせたので、前段のローラと後段のローラとは回転周期が相違することになり、前段のローラの塗布ムラ周期の影響を後段のローラは受けず、塗布ムラの発生をなくして、極めて安定した塗布動作を行えるという効果を奏する。
【００２０】
また、本願の請求項２の発明である塗料塗布装置によれば、複数対のローラは、上流側ローラの周長が、下流側ローラの周長よりも長くしたことにより、請求項１の発明の奏する効果を、塗布ムラの減少、塗布動作の安定性、密着性の向上、のすべての点においてより向上させることができるという効果を奏する。
【００２１】
さらに、本願の請求項３の発明である塗料塗布装置によれば、複数対のローラは、ゴムのような弾性を有する材質で形成されているので、請求項２の発明の奏する効果を、塗布ムラの減少、塗布動作の安定性、密着性の向上、のすべての点においてより一層向上させることができるという効果を奏する。
【図面の簡単な説明】
【図１】  塗料塗布装置の概略的な側面図。
【図２】  透明塗料の供給系統を示す概略的な説明図。
【図３】  塗布対象である連続用紙の一部を示す概略的な平面図。
【符号の説明】
１      連続用紙
２      塗工層
１１      塗料塗布装置
１２，１３      移送ローラ
１４      ノズルブロック
１５      ノズル
１７      塗料タンク
１８      ポンプ
２０ａ，２０ｂ，２１ａ，２１ｂ      ローラ
【図１】
0003659815.tif 000002
【図２】
0003659815.tif 000003
【図３】
0003659815.tif 000004